(57)【要約】【課題】異なる階層のメニュを同時に表示することができるようにする。【解決手段】本発明に係る情報処理端末に適用可能なカメラ付ディジタル携帯電話機にでは、ステップＳ１乃至Ｓ２９において、液晶ディスプレイは、主制御部の制御に従い、複数の階層からなる階層項目情報を表示し、また、表示される複数の階層項目情報のうちのいずれか１つをフォーカスし、主制御部は階層項目情報におけるフォーカスの移動速度が予め設定された所定の基準値よりも小さいか否かを認識し、液晶ディスプレイは、主制御部の制御に従い、認識結果に応じて複数の階層からな記階層項目情報が表示されるように制御される。【選択図】  図４
2008052576.tif 000002
【特許請求の範囲】
【請求項１】
複数の階層からなる階層項目情報を表示する表示手段と、
前記表示手段により表示される複数の前記階層項目情報のうちのいずれか１つをフォーカスするフォーカス手段と、
前記フォーカス手段による前記階層項目情報におけるフォーカスの移動速度が、予め設定された所定の基準値よりも小さいか否かを認識する認識手段と、
前記表示手段により、前記認識手段による認識結果に応じて複数の階層からなる前記階層項目情報が表示されるように制御する第１の制御手段とを備えることを特徴とする情報処理装置。
【請求項２】
複数の階層からなる前記階層項目情報は、少なくとも、第１階層項目情報と第２階層項目情報からなり、
前記認識手段により、前記フォーカス手段による前記第１階層項目情報におけるフォーカスの移動速度が予め設定された所定の基準値よりも小さいと認識された場合、前記第１の制御手段は、前記表示手段により前記第１階層項目情報と前記第２階層項目情報が同時に表示されるように制御することを特徴とする請求項１に記載の情報処理装置。
【請求項３】
複数の階層からなる階層項目情報を表示する表示手段と、
前記表示手段により表示される複数の前記階層項目情報のうちのいずれか１つをフォーカスするフォーカス手段と、
前記フォーカス手段により同一の前記階層項目情報に予め設定された所定の時間以上フォーカスされているか否かを判定するフォーカス時間判定手段と、
前記表示手段により、前記フォーカス時間判定手段による判定結果に応じて複数の階層からなる前記階層項目情報が表示されるように制御する第１の制御手段とを備えることを特徴とする情報処理装置。
【請求項４】
複数の階層からなる前記階層項目情報は、少なくとも、第１階層項目情報と第２階層項目情報からなり、
前記フォーカス時間判定手段により、前記フォーカス手段により同一の前記階層項目情報に予め設定された所定の時間以上フォーカスされていると判定された場合、前記第１の制御手段は、前記表示手段により前記第１階層項目情報と前記第２階層項目情報が同時に表示されるように制御することを特徴とする請求項３に記載の情報処理装置。
【請求項５】
前記表示手段により表示される前記階層項目情報に予め対応付けられたアプリケーションプログラムの実行を制御する第２の制御手段をさらに備えることを特徴とする請求項１または３に記載の情報処理装置。
【発明の詳細な説明】
【技術分野】
【０００１】
本発明は情報処理装置に係り、特に、複数の階層からなるメニュを表示することができるようにした情報処理装置に関する。
【背景技術】
【０００２】
近年、情報処理装置としての携帯電話機には、単なる通話による通信機能だけでなく、アドレス帳機能、インターネットなどのネットワークを介したメール機能や、Ｗｅｂページなどを閲覧することが可能なブラウザ機能などの種々の機能が搭載されるようになってきている。
【０００３】
それに伴い、多種多様な機能を予め階層化してメニュ画面上でメニュ（機能メニュ）として表示する技術が提案されている（例えば、特許文献１参照）。
【０００４】
特許文献１に提案されている技術によれば、表示部の操作パネル上の操作位置に応じた各表示位置に、各ジャンルに対応する各小画面がメニュ画面に表示されるようにしているので、ユーザは操作すべき操作キーを直感的に知ることができる。
【特許文献１】特開２００３−１２５０４２号公報
【発明の開示】
【発明が解決しようとする課題】
【０００５】
しかしながら、特許文献１に提案されている技術では、複数の階層からなるメニュのうち、同一の階層のメニュしか同時に表示することができないため、ユーザは、次の階層のメニュを把握するためには、表示されているいずれかのメニュを一度選択することで次の階層のメニュを表示させなければならず、ユーザにとって多くの手間がかかってしまうという課題があった。
【０００６】
本発明は、このような状況に鑑みてなされてものであり、異なる階層のメニュを同時に表示することができる情報処理装置を提供することを目的とする。
【課題を解決するための手段】
【０００７】
本発明の情報処理装置は、上述した課題を解決するために、複数の階層からなる階層項目情報を表示する表示手段と、表示手段により表示される複数の階層項目情報のうちのいずれか１つをフォーカスするフォーカス手段と、フォーカス手段による階層項目情報におけるフォーカスの移動速度が、予め設定された所定の基準値よりも小さいか否かを認識する認識手段と、表示手段により、認識手段による認識結果に応じて複数の階層からなる階層項目情報が表示されるように制御する制御手段とを備えることを特徴とする。
【０００８】
本発明の情報処理装置は、上述した課題を解決するために、複数の階層からなる階層項目情報を表示する表示手段と、表示手段により表示される複数の階層項目情報のうちのいずれか１つをフォーカスするフォーカス手段と、フォーカス手段により同一の階層項目情報に予め設定された所定の時間以上フォーカスされているか否かを判定するフォーカス時間判定手段と、表示手段により、フォーカス時間判定手段による判定結果に応じて複数の階層からなる階層項目情報が表示されるように制御する制御手段とを備えることを特徴とする。
【０００９】
本発明の情報処理装置においては、複数の階層からなる階層項目情報が表示され、表示される複数の階層項目情報のうちのいずれか１つがフォーカスされ、階層項目情報におけるフォーカスの移動速度が予め設定された所定の基準値よりも小さいか否かが認識され、認識結果に応じて複数の階層からなる階層項目情報が表示されるように制御される。
【００１０】
本発明の情報処理装置においては、複数の階層からなる階層項目情報が表示され、表示される複数の階層項目情報のうちのいずれか１つがフォーカスされ、同一の階層項目情報に予め設定された所定の時間以上フォーカスされているか否かが判定され、判定結果に応じて複数の階層からなる階層項目情報が表示されるように制御される。
【発明の効果】
【００１１】
本発明によれば、異なる階層のメニュを同時に表示することができる。
【発明を実施するための最良の形態】
【００１２】
以下、本発明の実施の形態について、図面を参照しながら説明する。
【００１３】
図１は、本発明に係る情報処理装置として適用可能なカメラ付ディジタル携帯電話機１の外観の構成を表している。なお、図１［Ａ］は、カメラ付ディジタル携帯電話機１を約１８０度に見開いたときの正面から見た外観の構成を表しており、図１［Ｂ］は、カメラ付ディジタル携帯電話機１を見開いたときの側面から見た外観の構成を表している。
【００１４】
図１［Ａ］および［Ｂ］に示されるように、カメラ付ディジタル携帯電話機１は、中央のヒンジ部１１を境に第１の筐体１２と第２の筐体１３とがヒンジ結合されており、ヒンジ部１１を介して矢印Ｘ方向に折り畳み可能に形成される。カメラ付ディジタル携帯電話機１の内部の所定の位置には、送受信用のアンテナ（後述する図３のアンテナ４４）が設けられており、内蔵されたアンテナを介して基地局（図示せず）との間で電波を送受信する。
【００１５】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１６】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００１７】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１８】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Yes」や「No」などの種々の機能をもつことが可能であるため、それぞれ、soft１キーおよびsoft２キーと呼ばれる。
【００１９】
また、第１の筐体１２には、操作キー１４の下部にマイクロフォン１５が設けられており、マイクロフォン１５によって通話時のユーザの音声を集音する。また、第１の筐体１２には、カメラ付ディジタル携帯電話機１の操作を行うサイドキー１６が設けられている。
【００２０】
なお、第１の筐体１２は、背面側に図示しないバッテリパックが挿着されており、終話・電源キーがオン状態になると、バッテリパックから各回路部に対して電力が供給されて動作可能な状態に起動する。
【００２１】
ところで、第１の筐体１２には、第１の筐体１２の下部の所定の位置に抜差自在なメモリカード（後述する図３のメモリカード４６）を挿着するためのメモリカードスロット（図示せず）が設けられており、メモボタン（図示せず）が押下されるとメモリカードに通話中の相手の音声を記録したり、ユーザの操作に応じて電子メール、簡易ホームページ、ＣＣＤカメラで撮像した画像を記録することができる。
【００２２】
ここで、メモリカードは、ＮＡＮＤ型フラッシュメモリカードやＮＯＲ型フラッシュメモリカードなどに代表されるフラッシュメモリカードの一種であり、小型薄型形状のプラスチックケース内に電気的に書換えや消去が可能な不揮発性メモリであるフラッシュメモリ素子を格納したものであり、１０ピン端子を介して画像や音声、音楽等の各種データの書き込み及び読み出しが可能となっている。
【００２３】
また、メモリカードは、大容量化等による内蔵フラッシュメモリの仕様変更に対しても、使用する機器で互換性を確保することができる独自のシリアルプロトコルを採用し、高速性能を実現しているとともに、誤消去防止スイッチを設けて高い信頼性を確保している。
【００２４】
従って、カメラ付ディジタル携帯電話機１は、このようなメモリカードを挿着可能に構成されているために、メモリカードを介して他の電子機器との間でデータの共有化を図ることができる。
【００２５】
また、所定の機能を拡張するためのモジュール（チップ）をメモリカードに組み込み、メモリカードスロット（図示せず）にそれを装着させることにより、カメラ付ディジタル携帯電話機１の機能をさらに拡張させることができる。
【００２６】
例えば、非接触ＩＣ（Integrated Circuit）チップが組み込まれたメモリカードをカメラ付ディジタル携帯電話機１に装着することにより、非接触ＩＣチップがカメラ付ディジタル携帯電話機１に内蔵されていない場合であっても、非接触ＩＣチップが内蔵された場合と同様の電子決済機能などを有するように機能を拡張させることもできる。
【００２７】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。また、液晶ディスプレイ１７の上部の所定の位置にはスピーカ１８が設けられており、これにより、ユーザは音声通話することが可能である。
【００２８】
また、第１の筐体１２と第２の筐体１３の内部の所定の位置には、カメラ付ディジタル携帯電話機１の状態を検知するための磁気センサ１９a、１９b、１９c、および１９dが設けられる。
【００２９】
図２は、本発明に係る情報処理装置として適用可能なカメラ付ディジタル携帯電話機１の他の外観の構成を表している。図２のカメラ付ディジタル携帯電話機１の状態は、図１のカメラ付ディジタル携帯電話機１の状態から矢印Ｘ方向に回動させた状態である。なお、図２［Ａ］は、カメラ付ディジタル携帯電話機１を閉じたときの正面から見た外観の構成を表しており、図２［Ｂ］は、カメラ付ディジタル携帯電話機１を閉じたときの側面から見た外観の構成を表している。
【００３０】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、カメラ付ディジタル携帯電話機１の現在の電池残量を示す電池ピクト、現在の時刻などが表示される。
【００３１】
サブディスプレイ２１の下部には、さらに、静電タッチパッド２２が設けられる。静電タッチパッド２２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００３２】
図３は、本発明に係る情報処理装置として適用可能なカメラ付ディジタル携帯電話機１の内部の構成を表している。
【００３３】
図３に示されるように、カメラ付ディジタル携帯電話機１は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、記憶部４７、および音楽制御部４８がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００３４】
電源回路部３２は、ユーザの操作により終話・電源キーがオン状態にされると、バッテリパックから各部に対して電力を供給することによりカメラ付ディジタル携帯電話機１を動作可能な状態に起動する。
【００３５】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することによりカメラ付ディジタル携帯電話機１を統括的に制御する。ＲＡＭは、ＣＰＵが各種の処理を実行する上において必要なデータなどを適宜記憶する。
【００３６】
なお、主制御部３１には、現在の日付と時刻を正確に計測するタイマが内蔵されている。
【００３７】
ここで、ＣＰＵが実行する種々のアプリケーションプログラムは、ＲＯＭや記憶部４７に予めインストールしておくことができる。また、ＣＰＵが実行する種々のアプリケーションプログラムは、図示せぬ基地局を介して通信によってカメラ付ディジタル携帯電話機１にダウンロードすることにより、記憶部４７にインストールすることができる。さらに、ＣＰＵが実行する種々のアプリケーションプログラムは、メモリカード４６に記録しておき、記録再生部４５によって読み出して、記憶部４７にインストールすることも可能である。
【００３８】
カメラ付ディジタル携帯電話機１は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００３９】
また、カメラ付ディジタル携帯電話機１は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００４０】
さらに、カメラ付ディジタル携帯電話機１は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局（図示せず）へ送信する。
【００４１】
これに対してカメラ付ディジタル携帯電話機１は、データ通信モード時に電子メールを受信する場合、アンテナ４４を介して基地局（図示せず）から受信した受信信号を変復調回路部３９でスペクトラム逆拡散処理して元のテキストデータを復元した後、ＬＣＤ制御部３６を介して液晶ディスプレイ１７に電子メールとして表示する。
【００４２】
その後カメラ付ディジタル携帯電話機１は、ユーザの操作に応じて受信した電子メールを記録再生部４５を介してメモリカード４６に記録することも可能である。
【００４３】
カメラ付ディジタル携帯電話機１は、画像信号を送信しない場合には、ＣＣＤカメラ２０で撮像した画像信号をカメラインタフェース部４５及びＬＣＤ制御部４６を介して液晶ディスプレイ１７に直接表示する。
【００４４】
カメラ付ディジタル携帯電話機１は、データ通信モード時に画像信号を送信する場合、ＣＣＤカメラ２０で撮像された画像信号をカメラインタフェース部３５を介して画像エンコーダ３４に供給する。
【００４５】
画像エンコーダ３４は、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時にカメラ付ディジタル携帯電話機１は、ＣＣＤカメラ２０で撮像中にマイクロフォン１５で集音した音声を音声コーデック４０を介してディジタルの音声信号として多重分離部３８送出する。
【００４６】
多重分離部３８は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。
【００４７】
これに対して、カメラ付ディジタル携帯電話機１では、データ通信モード時に、Ｗｅｂページのデータを受信することができる。
【００４８】
すなわち、カメラ付ディジタル携帯電話機１において、データ通信モードに、例えばＷｅｂページを要求するデータを送信すると、その要求に応じて、Ｗｅｂページのデータが基地局（図示せず）を介して送信される。このＷｅｂページのデータは、アンテナ４４を介して送受信回路部４３および変復調回路部３９で受信される。送受信回路部４３および変復調回路部３９は、受信したＷｅｂページのデータを主制御部３１に送出する。
【００４９】
主制御部３１は、Ｗｅｂページのデータを解釈し、その解釈に基づく画面（画像）を作成する。作成された画面は、主制御部３１からＬＣＤ制御部３６を介して液晶ディスプレイ１７に供給されて表示される。すなわち、主制御部３１のＲＯＭまたは記憶部４７には、少なくともＷｅｂブラウザのアプリケーションプログラムがインストールされており、主制御部３１のＣＰＵは、ＲＡＭ上でＷｅｂブラウザのアプリケーションプログラムを実行することで、Ｗｅｂブラウザとして機能し、Ｗｅｂページのデータの解釈などを行う。
【００５０】
また、カメラ付ディジタル携帯電話機１は、データ通信モード時に例えばＷｅｂページなどにリンクされた動画像ファイルのデータを受信する場合、アンテナ４４を介して基地局（図示せず）から受信した受信信号を変復調回路部３９でスペクトラム逆拡散処理し、その結果得られる多重化信号を多重分離部３８に送出する。
【００５１】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００５２】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。この場合も電子メールの場合と同様にカメラ付ディジタル携帯電話機１は、受信したＷｅｂページなどにリンクされたデータをユーザの操作により記録再生部４５を介してメモリカード４６に記録することが可能である。
【００５３】
記憶部４７は、例えば、電気的に書換えや消去が可能な不揮発性メモリであるフラッシュメモリ素子などからなり、主制御部３１のＣＰＵにより実行される種々のアプリケーションプログラムや種々のデータ群を格納している。また、記憶部４７は、必要に応じて、ユーザの操作に応じて受信した電子メールや、受信したＷｅｂページなどにリンクされた動画像ファイルに含まれる動画像データなどを記憶する。
【００５４】
音楽制御部４８は、記憶部４７に記憶されているオーディオデータの再生動作および一時停止動作や、巻戻し機能、早送り機能、音量ダウン動作、音量アップ動作などの実行を制御する。
【００５５】
次に、図４のフローチャートを参照して、図３のカメラ付ディジタル携帯電話機１におけるメニュ表示制御処理について説明する。このメニュ表示制御処理は、ユーザにより操作キー１４（例えば、確定キー）が操作されることにより、液晶ディスプレイ１７に複数の第１階層メニュが表示されることにより開始される。なお、複数の階層からなる階層メニュは例えば第１階層メニュや第２階層メニュ…などからなり、そのうち、第１階層メニュは、複数の階層からなるメニュのうちの最上位の階層メニュを意味する。
【００５６】
例えば図５に示されるように、第１階層メニュとして例えば「カメラ」、「アラーム」、「便利機能」、「データフォルダ」、「設定」、および「私の番号」が設けられる。次に、第１階層メニュ「カメラ」に対応付けられた第２階層メニュとして「フォト」、「ムービー」、および「バーコードリーダー」が設けられており、各第２階層メニュにおいて例えば確定キーが押下されることで「フォト起動」、「ムービー起動」、または「バーコードリーダー起動」に遷移する。
【００５７】
第１階層メニュ「アラーム」には第２階層は設けられておらず、第１階層メニュ「アラーム」において例えば確定キーが押下されることで「アラーム画面」に遷移する。
【００５８】
第１階層メニュ「便利機能」に対応付けられた第２階層メニュとして「カレンダー」、「メモ帳」、「電卓」、「赤外線」、「ＦＭラジオ」、「Music Player」、および「xxxサイト」が設けられており、各第２階層メニュにおいて例えば確定キーが押下されることで「カレンダー起動」、「メモ帳一覧」、「電卓起動」、「赤外線メニュ」、「ＦＭラジオ」、「Music Player起動」、または「xxxに接続」に遷移する。
【００５９】
第１階層メニュ「データフォルダ」に対応付けられた第２階層メニュとして「全体表示」、「フォトフォルダ表示」、「ムービーフォルダ表示」、および「ＳＤカード」が設けられており、各第２階層メニュにおいて例えば確定キーが押下されることで「全体表示」、「フォトフォルダ表示」、「ムービーフォルダ表示」、または「ＳＤカードメニュ」に遷移する。
【００６０】
第１階層メニュ「設定」に対応付けられた第２階層メニュとして「音量」、「メロディ」、「待受画面」、「文字／ピクトサイズ」、「マナーモード」、「料金／申込」、および「モード終了」が設けられ、各第２階層メニュにおいて例えば確定キーが押下されることで各設定画面に遷移する。
【００６１】
第１階層メニュ「私の番号」には第２階層は設けられておらず、第１階層メニュ「私の番号」において例えば確定キーが押下されることで「プロフィール表示」に遷移する。
【００６２】
なお、これらの階層メニュを「階層項目情報」と定義し、例えば第１階層メニュや第２階層メニュ…は「第１階層項目情報」や「第２階層項目情報」…と定義する。
【００６３】
ステップＳ１において、主制御部３１は、ＬＣＤ制御部３６を制御し、液晶ディスプレイ１７に複数の第１階層メニュを表示させる。液晶ディスプレイ１７は、ＬＣＤ制御部３６の制御に従い、複数の第１階層メニュを表示する。
【００６４】
例えば図６の表示画面５１−ａに示されるように、液晶ディスプレイ１７には、複数の第１階層メニュとして「カメラ」、「アラーム」、「便利機能」、「データフォルダ」、「設定」、および「私の番号」が表示される。なお、各第１階層メニュには、メニュを示すアイコン（例えばカメラを示すアイコンなど）も含まれる。また、表示画面５１−ａにおいては、複数の第１階層メニュ（例えば「カメラ」、「アラーム」、「便利機能」、「データフォルダ」、「設定」、および「私の番号」）のうち、「カメラ」という第１階層メニュがフォーカスされる。
【００６５】
ステップＳ２において、主制御部３１は、ユーザにより操作キー１４のうちの例えば上下キーのいずれかが押下されたか否かを判定する。ステップＳ２においてユーザにより操作キー１４のうちの例えば上下キー（十字キー）のいずれかが押下されたと判定された場合、主制御部３１はステップＳ３で、ＬＣＤ制御部３６を制御し、液晶ディスプレイ１７に表示される複数の第１階層メニュにおけるフォーカス位置を移動させる。液晶ディスプレイ１７は、ＬＣＤ制御部３６の制御に従い、複数の第１階層メニュにおけるフォーカス位置を移動する。
【００６６】
例えば図６の例の場合、表示画面５１−ａ上においてユーザにより操作キー１４のうちの例えば下キーが押下されると、表示画面５１−ｂに遷移し、液晶ディスプレイ１７に表示される複数の第１階層メニュ（例えば「カメラ」、「アラーム」、「便利機能」、「データフォルダ」、「設定」、および「私の番号」）におけるフォーカス位置が「カメラ」から「アラーム」に移動される。同様に、表示画面５１−ｂ上においてユーザにより操作キー１４のうちの例えば上キーまたは下キーが押下されると、表示画面５１−ａまたは５１−ｃに遷移し、液晶ディスプレイ１７に表示される複数の第１階層メニュにおけるフォーカス位置が「アラーム」から「カメラ」または「便利機能」に移動される。
【００６７】
表示画面５１−ｃ上においてユーザにより操作キー１４のうちの例えば上キーまたは下キーが押下されると、表示画面５１−ｂまたは５１−ｄに遷移し、液晶ディスプレイ１７に表示される複数の第１階層メニュにおけるフォーカス位置が「便利機能」から「アラーム」または「データフォルダ」に移動される。表示画面５１−ｄ上においてユーザにより操作キー１４のうちの例えば上キーまたは下キーが押下されると、表示画面５１−ｃまたは５１−ｅに遷移し、液晶ディスプレイ１７に表示される複数の第１階層メニュにおけるフォーカス位置が「データフォルダ」から「便利機能」または「設定」に移動される。表示画面５１−ｅ上においてユーザにより操作キー１４のうちの例えば上キーまたは下キーが押下されると、表示画面５１−ｄまたは５１−ｆに遷移し、液晶ディスプレイ１７に表示される複数の第１階層メニュにおけるフォーカス位置が「設定」から「データフォルダ」または「私の番号」に移動される。
【００６８】
ステップＳ２においてユーザにより操作キー１４のうちの例えば上下キー（十字キー）のいずれかが押下されていないと判定された場合、ステップＳ３はスキップされ、その後、処理はステップＳ４に進む。
【００６９】
ステップＳ４において、主制御部３１は、ユーザにより操作キー１４のうちの例えば確定キーが操作されることにより、液晶ディスプレイ１７に表示される複数の第１階層メニュのうちのいずれかの第１階層メニュにおいて確定キーが押下されたか否かを判定する。
【００７０】
ステップＳ４において液晶ディスプレイ１７に表示される複数の第１階層メニュのうちのいずれかの第１階層メニュにおいて確定キーが押下されたと判定された場合、主制御部３１はステップＳ５で、ＬＣＤ制御部３６を制御し、複数の第２階層メニュを液晶ディスプレイ１７に表示させる。液晶ディスプレイ１７は、ＬＣＤ制御部３６の制御に従い、複数の第２階層メニュを表示する。
【００７１】
例えば図７に示されるように、表示画面５１−ａ上において確定キーが押下されると（すなわち、液晶ディスプレイ１７に表示される複数の第１階層メニュのうちの「カメラ」において確定キーが押下されると）、表示画面５１−ａから表示画面５２−ａに遷移し、複数の第２階層メニュとして例えば「フォト」、「ムービー」、および「バーコードリーダー」が表示される。このとき、表示画面５２−ａにおいては複数の第２階層メニュのうちの「フォト」がフォーカスされる。
【００７２】
ステップＳ６において、主制御部３１は、ユーザにより操作キー１４のうちの上下キーのいずれかが押下されたか否かを判定する。ステップＳ６においてユーザにより操作キー１４のうちの上下キーのいずれかが押下されたと判定された場合、主制御部３１はステップＳ７で、ＬＣＤ制御部３６を制御し、液晶ディスプレイ１７に表示される第２階層メニュにおけるフォーカス位置を移動させる。液晶ディスプレイ１７は、ＬＣＤ制御部３６の制御に従い、複数の第２階層メニュにおけるフォーカス位置を移動する。
【００７３】
例えば図７の例の場合、表示画面５２−ａ上においてユーザにより操作キー１４のうちの例えば下キーが押下されると、液晶ディスプレイ１７に表示される複数の第２階層メニュ（例えば「フォト」、「ムービー」、および「バーコードリーダー」）におけるフォーカス位置が「フォト」から「ムービー」に移動される。そして、ユーザにより操作キー１４のうちの例えば上下キーがさらに押下されると、液晶ディスプレイ１７に表示される複数の第２階層メニュにおけるフォーカス位置が「フォト」、「ムービー」、および「バーコードリーダー」のいずれかに移動される。
【００７４】
ステップＳ６おいてユーザにより操作キー１４のうちの上下キーのいずれかが押下されていないと判定された場合、ステップＳ７の処理はスキップされ、その後、処理はステップ８に進む。
【００７５】
ステップＳ８において、主制御部３１は、ユーザにより操作キー１４のうちの例えば確定キーが操作されることにより、液晶ディスプレイ１７に表示される複数の第２階層メニュのいずれかにおいて確定キーが押下されたか否かを判定する。
【００７６】
ステップＳ８において液晶ディスプレイ１７に表示される複数の第２階層メニュのうちのいずれかの第２階層メニュにおいて確定キーが押下されたと判定された場合、主制御部３１はステップＳ９で、確定キーが押下された第２階層メニュ（例えば「フォト」、「ムービー」、または「バーコードリーダー」）に予め対応付けられたアプリケーションプログラムの実行を制御する。
【００７７】
例えば図７に示されるように、液晶ディスプレイ１７に表示される「フォト」という第２階層メニュにおいて確定キーが押下されると、「フォト」という第２階層メニュに予め対応付けられた撮像アプリケーションプログラムの実行が制御される。これにより、ＣＣＤカメラ２０を用いた撮像処理が実行されるとともに、メニュ表示制御処理は終了する。
【００７８】
ステップＳ８において液晶ディスプレイ１７に表示される複数の第２階層メニュのうちのいずれかの第２階層メニュにおいて確定キーが押下されていないと判定された場合、主制御部３１はステップＳ１０で、ユーザにより操作キー１４のうちのsoft１キーが押下されることにより、液晶ディスプレイ１７に表示される「戻る」が選択されたか否かを判定する。
【００７９】
ステップＳ１０において液晶ディスプレイ１７に表示される「戻る」が選択されたと判定された場合、処理はステップＳ１に戻り、ステップＳ１以降の処理が繰り返される。
【００８０】
なお、この場合、ステップＳ１の処理において複数の第１階層メニュを表示するときには、直前においてフォーカスされていた第１階層メニュを再びフォーカスして、複数の第１階層メニュを表示する。
【００８１】
すなわち、例えば図７の例の場合、表示画面５２−ａ上において「戻る」が選択されたと判定された場合、表示画面５２−ａから表示画面５１−ａに再び遷移し、複数の第１階層メニュのみが表示されるとともに、複数の第１階層メニュのうち、「カメラ」という第１階層メニュがフォーカスされる。同様に、直前においてフォーカスされていた第１階層メニュが「便利機能」である場合、表示画面５１―ｃに再び遷移する。
【００８２】
ステップＳ１０において液晶ディスプレイ１７に表示される「戻る」が選択されていないと判定された場合、処理はステップＳ６に戻り、その後、ステップＳ６以降の処理が繰り返される。
【００８３】
一方、ステップＳ４において液晶ディスプレイ１７に表示される複数の第１階層メニュのうちのいずれかの第１階層メニュにおいて確定キーが押下されていないと判定された場合、主制御部３１はステップＳ１１で、同一のフォーカス位置で予め設定された所定の時間（例えば、２秒間）以上フォーカスされているか否かを判定する。
【００８４】
なお、ステップＳ１１の処理においては、同一のフォーカス位置で予め設定された所定の時間（例えば、２秒間）以上フォーカスされているか否かを判定する代わりに、ユーザによる直前のキー押下から予め設定された所定の時間（例えば、２秒間）経過したか否かを判定するようにしてもよい。
【００８５】
ステップＳ１１において同一のフォーカス位置で予め設定された所定の時間（例えば、２秒間）以上フォーカスされていないと判定された場合（すなわち、同一のフォーカス位置で予め設定された所定の時間（例えば、２秒間）未満しかフォーカスされていないと判定された場合）、主制御部３１はステップＳ１２で、フォーカスの移動速度が高速であると認識する。その後、処理はステップＳ２に進み、ステップＳ２以降の処理が繰り返される。
【００８６】
これにより、同一のフォーカス位置で予め設定された所定の時間（例えば、２秒間）以上フォーカスされず、ユーザにより操作キー１４のうちの上下キーが高速に押下されると、例えば図６に示されるように液晶ディスプレイ１７に複数の第１階層メニュのみが表示され、上下キーの押下に合わせて第１階層メニュにおけるフォーカス位置が移動される。
【００８７】
従って、ユーザがフォーカス位置の高速移動を所望する場合に、異なる階層のメニュを同時に表示せずに、第１階層メニュのみを表示させ、フォーカス位置を高速に移動させることができる。
【００８８】
勿論、ユーザにより操作キー１４のうちの上下キーがリピート押下操作された（指を離すことなく連続して押下する操作された）場合も、同一のフォーカス位置で予め設定された所定の時間（例えば、２秒間）以上フォーカスされず、ユーザにより操作キー１４のうちの上下キーが高速に押下されたと判定され、例えば図６に示されるように液晶ディスプレイ１７に複数の第１階層メニュのみが表示され、上下キーの押下に合わせて第１階層メニュにおけるフォーカス位置が移動される。
【００８９】
一方、ステップＳ１１において同一のフォーカス位置で予め設定された所定の時間（例えば、２秒間）以上フォーカスされていると判定された場合、主制御部３１はステップＳ１３で、フォーカスの移動速度が低速であると認識する。
【００９０】
なお、ステップＳ１１乃至１３の処理においては、同一のフォーカス位置で予め設定された所定の時間（例えば、２秒間）以上フォーカスされているか否かを判定することにより、フォーカスの移動速度が低速である高速であるかを認識するようにしたが、このような場合に限られず、例えばフォーカスの移動速度が予め設定された所定の基準値よりも小さいか否かにより低速である高速であるかを直接判定して認識ようにしてもよい。
【００９１】
ステップＳ１４において、主制御部３１は、ＬＣＤ制御部３６を制御し、フォーカス位置において複数の第２階層メニュ（第２階層のメニュのうち一部または全部のメニュ）を第１階層メニュと同時に液晶ディスプレイ１７に表示させる。液晶ディスプレイ１７は、ＬＣＤ制御部３６の制御に従い、フォーカス位置において複数の第２階層メニュを第１階層メニュと同時に表示する。
【００９２】
例えば図６の表示画面５１−ａの場合、同一のフォーカス位置に予め設定された所定の時間以上フォーカスされていると判定され、フォーカスの移動速度が低速であると認識されると、図８の表示画面５３−ａに示されるように、フォーカス位置において、複数の第２階層メニュとしての「フォト」および「ムービー」が、第１階層メニュとしての「カメラ」と同時に表示される。具体的には、図８の表示画面５３−ａの場合、第１階層メニュとしての「カメラ」の下に、第１階層メニュ「カメラ」の詳細情報である第１階層付属メニュとして「カメラメニュ」が表示されるとともに、左右に第２階層メニュとして「フォト」および「ムービー」が同時に表示される。なお、表示画面５３−ａにおいては、第１階層付属メニュ（例えば「カメラメニュ」）および複数の第２階層メニュ（例えば「フォト」および「ムービー」）のうち、「カメラメニュ」という第１階層付属メニュがフォーカスされる。
【００９３】
これにより、異なる階層のメニュ（例えば、第１階層メニュと第２階層メニュなど）を同時に表示することができる。従って、ユーザは、異なる階層のメニュを同時に把握することができ、現在のフォーカス位置に表示される階層メニュにおいて以降実行することができる処理を容易に知ることができる。その結果、カメラ付ディジタル携帯電話機１の操作性を向上させることができる。
【００９４】
なお、この第１階層付属メニュ（例えば、「カメラメニュ」など）を「第１階層付属項目情報」と定義する。
【００９５】
ここで、図８の表示画面５３−ａにおいては、第１階層メニュである「カメラ」に対応付けられた第２階層メニュ（例えば、「フォト」、「ムービー」、および「バーコードリーダー」）のうちの代表的なもの（（例えば、「フォト」および「ムービー」）を第１階層メニュと同時に表示するようにしたが、図５に示されるように、第１階層メニュに対応付けられた第２階層メニュが多い場合には、横にもスクロール操作できるようにして、フォーカス位置において表示される第２階層メニュを順次変更して表示できるようにしてもよい。
【００９６】
ステップＳ１５において、主制御部３１は、ユーザにより操作キー１４のうちの例えば左右キーのいずれかが押下されたか否かを判定する。ステップＳ１５においてユーザにより操作キー１４のうちの例えば左右キーのいずれかが押下されたと判定された場合、主制御部３１はステップＳ１６で、ＬＣＤ制御部３６を制御し、液晶ディスプレイ１７に表示される第１階層付属メニュおよび第２階層メニュにおけるフォーカス位置を移動させる。液晶ディスプレイ１７は、ＬＣＤ制御部３６の制御に従い、第１階層付属メニュおよび第２階層メニュにおけるフォーカス位置を移動する。
【００９７】
例えば図９［Ｂ］に示されるように、表示画面５３−ａ上においてユーザにより操作キー１４のうちの例えば左キーが押下されると、表示画面５４−ａに遷移し、液晶ディスプレイ１７に表示される第１階層付属メニュ（例えば「カメラメニュ」）および複数の第２階層メニュ（例えば「フォト」および「ムービー」）におけるフォーカス位置が「カメラメニュ」から「フォト」に移動される。
【００９８】
また、例えば図９［Ｂ］の場合、表示画面５３−ａ上においてユーザにより操作キー１４のうちの例えば右キーが押下されると、液晶ディスプレイ１７に表示される第１階層付属メニュ（例えば「カメラメニュ」）および複数の第２階層メニュ（例えば「フォト」および「ムービー」）におけるフォーカス位置が「カメラメニュ」から「ムービー」に移動される。
【００９９】
ステップＳ１７において、主制御部３１は、ユーザにより操作キー１４のうちの例えば確定キーが操作されることにより、液晶ディスプレイ１７に表示される第１階層付属メニュにおいて確定キーが押下されたか否かを判定する。
【０１００】
ステップＳ１７において液晶ディスプレイ１７に表示される第１階層付属メニュにおいて確定キーが押下されたと判定された場合、主制御部３１はステップＳ１８で、ＬＣＤ制御部３６を制御し、複数の第２階層メニュを液晶ディスプレイ１７に表示させる。液晶ディスプレイ１７は、ＬＣＤ制御部３６の制御に従い、複数の第２階層メニュを表示する。
【０１０１】
例えば図９［Ａ］に示されるように、表示画面５３−ａ上において確定キーが押下されると（すなわち、液晶ディスプレイ１７に表示される第１階層付属メニュとしての「カメラメニュ」において確定キーが押下されると）、表示画面５３−ａから表示画面５５−ａに遷移し、複数の第２階層メニュとして例えば「フォト」、「ムービー」、および「バーコードリーダー」が表示される。このとき、表示画面５５−ａにおいては複数の第２階層メニュのうちの「フォト」という第２階層メニュがフォーカスされる。
【０１０２】
ステップＳ１９において、主制御部３１は、ユーザにより操作キー１４のうちの上下キーのいずれかが押下されたか否かを判定する。ステップＳ１９においてユーザにより操作キー１４のうちの上下キーのいずれかが押下されたと判定された場合、主制御部３１はステップＳ２０で、ＬＣＤ制御部３６を制御し、液晶ディスプレイ１７に表示される第２階層メニュにおけるフォーカス位置を移動させる。液晶ディスプレイ１７は、ＬＣＤ制御部３６の制御に従い、複数の第２階層メニュにおけるフォーカス位置を移動する。
【０１０３】
例えば図９［Ａ］の例の場合、表示画面５５−ａ上においてユーザにより操作キー１４のうちの例えば下キーが押下されると、液晶ディスプレイ１７に表示される複数の第２階層メニュ（例えば「フォト」、「ムービー」、および「バーコードリーダー」）におけるフォーカス位置が「フォト」から「ムービー」に移動される。そして、ユーザにより操作キー１４のうちの例えば上下キーがさらに押下されると、液晶ディスプレイ１７に表示される複数の第２階層メニュにおけるフォーカス位置が「フォト」、「ムービー」、および「バーコードリーダー」のいずれかに移動される。
【０１０４】
ステップＳ１９においてユーザにより操作キー１４のうちの上下キーのいずれかが押下されていないと判定された場合、ステップＳ２０の処理はスキップされ、その後、処理はステップ２１に進む。
【０１０５】
ステップＳ２１において、主制御部３１は、ユーザにより操作キー１４のうちの例えば確定キーが操作されることにより、液晶ディスプレイ１７に表示される複数の第２階層メニュのいずれかにおいて確定キーが押下されたか否かを判定する。
【０１０６】
ステップＳ２１において液晶ディスプレイ１７に表示される複数の第２階層メニュのうちのいずれかの第２階層メニュにおいて確定キーが押下されたと判定された場合、処理はステップＳ９に進み、ステップＳ９において、確定キーが押下された第２階層メニュ（例えば「フォト」、「ムービー」、または「バーコードリーダー」）に予め対応付けられたアプリケーションプログラムの実行が制御される。
【０１０７】
例えば図９［Ａ］に示されるように、液晶ディスプレイ１７に表示される「フォト」という第２階層メニュにおいて確定キーが押下されると、「フォト」という第２階層メニュに予め対応付けられた撮像アプリケーションプログラムの実行が制御される。これにより、ＣＣＤカメラ２０を用いた撮像処理が実行されるとともに、メニュ表示制御処理は終了する。
【０１０８】
ステップＳ２１において液晶ディスプレイ１７に表示される複数の第２階層メニュのうちのいずれかの第２階層メニュにおいて確定キーが押下されていないと判定された場合、主制御部３１はステップＳ２２で、ユーザにより操作キー１４のうちのsoft１キーが押下されることにより、液晶ディスプレイ１７に表示される「戻る」が選択されたか否かを判定する。
【０１０９】
ステップＳ２２において液晶ディスプレイ１７に表示される「戻る」が選択されたと判定された場合、処理はステップＳ１４に戻り、ステップＳ１４以降の処理が繰り返される。なお、この場合、ステップＳ１４の処理において複数の第２階層メニュを第１階層メニュと同時に表示するときには、直前においてフォーカスされていた第１階層付属メニュを再びフォーカスして、複数の第２階層メニュを第１階層メニュと同時に表示する。
【０１１０】
すなわち、表示画面５５−ａから表示画面５３−ａに遷移し、フォーカス位置において、複数の第２階層メニュとしての「フォト」および「ムービー」が、第１階層メニュとしての「カメラ」と同時に表示され、第１階層付属メニュとしての「カメラメニュ」がフォーカスされる。
【０１１１】
ステップＳ２２において液晶ディスプレイ１７に表示される「戻る」が選択されていないと判定された場合、処理はステップＳ１９に戻り、その後、ステップＳ１９以降の処理が繰り返される。
【０１１２】
一方、ステップＳ１７において液晶ディスプレイ１７に表示される第１階層付属メニュにおいて確定キーが押下されていないと判定された場合、主制御部３１はステップＳ２３で、ユーザにより操作キー１４のうちの例えば確定キーが操作されることにより、液晶ディスプレイ１７に表示される複数の第２階層メニュ（例えば、「フォト」および「ムービー」）のうちのいずれかの第２階層メニュにおいて確定キーが押下されたか否かを判定する。
【０１１３】
ステップＳ２３において液晶ディスプレイ１７に表示される複数の第２階層メニュのうちのいずれかの第２階層メニュにおいて確定キーが押下されたと判定された場合、処理はステップＳ９に進み、ステップＳ９において、確定キーが押下された第２階層メニュ（例えば「フォト」、「ムービー」、または「バーコードリーダー」）に予め対応付けられたアプリケーションプログラムの実行が制御される。
【０１１４】
例えば図９［Ｂ］に示されるように、液晶ディスプレイ１７に表示される「フォト」という第２階層メニュにおいて確定キーが押下されると、「フォト」という第２階層メニュに予め対応付けられた撮像アプリケーションプログラムの実行が制御される。これにより、ＣＣＤカメラ２０を用いた撮像処理が実行されるとともに、メニュ表示制御処理は終了する。
【０１１５】
ステップＳ２３において液晶ディスプレイ１７に表示される複数の第２階層メニュのうちのいずれかの第２階層メニュにおいて確定キーが押下されていないと判定された場合、主制御部３１はステップＳ２４で、ユーザにより操作キー１４のうちの例えばsoft１キーまたはsoft２キーが操作されることにより、いずれかのsoftキーが押下されたか否かを判定する。
【０１１６】
ステップＳ２４においていずれかのsoftキー（soft１キーまたはsoft２キー）が押下されたと判定された場合、処理はステップＳ９に進み、押下されたsoftキーの位置に対応する第２階層メニュ（例えば「フォト」または「ムービー」）に予め対応付けられたアプリケーションプログラムの実行が制御される。
【０１１７】
例えば図９［Ｃ］に示されるように、ユーザによりsoft１キーが押下されると、押下されたsoft１キーの位置に対応する第２階層メニュである「フォト」に予め対応付けられた撮像アプリケーションプログラムの実行が制御される。これにより、ＣＣＤカメラ２０を用いた撮像処理が実行されるとともに、メニュ表示制御処理は終了する。
【０１１８】
また、ユーザによりsoft２キーが押下されると、押下されたsoft２キーの位置に対応する第２階層メニュである「ムービー」に予め対応付けられた動画撮像アプリケーションプログラムの実行が制御される。これにより、ＣＣＤカメラ２０を用いた動画撮像処理が実行されるとともに、メニュ表示制御処理は終了する。
【０１１９】
これにより、ユーザは、階層メニュ（第１階層メニュや第２階層メニュなど）を用いて、より簡単に所望のアプリケーションプログラムなどを起動させ、所望の処理を実行させることができる。
【０１２０】
ステップＳ２４においていずれかのsoftキー（soft１キーまたはsoft２キー）が押下されていないと判定された場合、主制御部３１はステップＳ２５で、ユーザにより操作キー１４のうちの例えば上下キーのいずれかが押下されたか否かを判定する。
【０１２１】
ステップＳ２５においてユーザにより操作キー１４のうちの例えば上下キーのいずれかが押下されたと判定された場合、主制御部３１はステップＳ２６で、予め設定された所定の時間（例えば、１秒間など）以内に上下キーが押されたか否かを判定する。より具体的には、ステップ１４の処理によりフォーカス位置において複数の第２階層メニュを第１階層メニュと同時に表示した後、ユーザにより一度上下キーのいずれかが押下されたときから、予め設定された所定の時間（例えば、１秒間など）以内に上下キーが押されたか否かを判定する。なお、ステップ１４の処理によりフォーカス位置において複数の第２階層メニュを第１階層メニュと同時に表示した後、ユーザによりまだ一度も上下キーのいずれかが押下されていない場合には、これらが表示されたときから予め設定された所定の時間（例えば、１秒間など）以内に上下キーが押されたか否かを判定する。
【０１２２】
なお、ステップＳ２６の処理においては、予め設定された所定の時間（例えば、１秒間など）以内に上下キーが押されたか否かを判定する代わりに、ユーザによる直前のキー押下から予め設定された所定の時間（例えば、１秒間）経過したか否かを判定するようにしてもよい。
【０１２３】
ステップＳ２６において予め設定された所定の時間（例えば、１秒間など）以内に上下キーが押されていないと判定された場合、主制御部３１はステップＳ２７で、フォーカスの移動速度が低速であると認識する。なお、ステップＳ２６における所定の時間（例えば、１秒間）とステップＳ１１における所定の時間（例えば、２秒間）は、同じ時間であってもよいし、異なる時間であってもよい。
【０１２４】
ステップＳ２８において、主制御部３１は、ＬＣＤ制御部３６を制御し、液晶ディスプレイ１７に表示される複数の第１階層メニュにおけるフォーカス位置を移動させるとともに、フォーカス位置において複数の第２階層メニュを第１階メニュと同時に液晶ディスプレイ１７に表示させる。液晶ディスプレイ１７は、ＬＣＤ制御部３６の制御に従い、複数の第１階層メニュにおけるフォーカス位置を移動するとともに、フォーカス位置において複数の第２階層メニュを第１階メニュと同時に表示する。
【０１２５】
例えば図８の例の場合、表示画面５３−ａ上においてユーザにより操作キー１４のうちの例えば下キーが押下されたが、予め設定された所定の時間（例えば、１秒間など）以内に上下キーが押されていないと判定され、フォーカスの移動速度が低速であると認識されると、表示画面５３−ｂに遷移し、液晶ディスプレイ１７に表示される複数の第１階層メニュ（例えば「カメラ」、「アラーム」、「便利機能」、「データフォルダ」、「設定」、および「私の番号」）におけるフォーカス位置が「カメラ」から「アラーム」に移動されるとともに、フォーカス位置において複数の第２階層メニュが第１階層メニュと同時に液晶ディスプレイ１７に表示される。
【０１２６】
例えば図８の表示画面５３−ｂの場合、フォーカス位置において、第１階層付属メニュとしての「OFF――：――」が、第１階層メニュとしての「アラーム」と同時に表示される。なお、表示画面５３−ｂにおいては、第１階層付属メニュとしての「OFF――：――」がフォーカスされる。
【０１２７】
同様に、表示画面５３−ｂ上においてユーザにより操作キー１４のうちの例えば上キーまたは下キーが押下されると、表示画面５３−ａまたは５３−ｃに遷移し、液晶ディスプレイ１７に表示される複数の第１階層メニュにおけるフォーカス位置が「アラーム」から「カメラ」または「便利機能」に移動される。例えば表示画面５３−ｂ上においてユーザにより操作キー１４のうちの例えば下キーが押下されると、５３−ｃに遷移し、フォーカス位置において、複数の第２階層メニュとしての「メモ帳」および「カレンダー」が、第１階層メニュとしての「便利機能」と同時に表示される。具体的には、図８の表示画面５３−ｃの場合、第１階層メニュとしての「便利機能」の下に、第１階層メニュ「便利機能」の詳細情報である第１階層付属メニュとして「ツール」が表示されるとともに、左右に第２階層メニュとして「メモ帳」および「カレンダー」が同時に表示される。なお、表示画面５３−ｃにおいては、第１階層付属メニュ（例えば「ツール」）および複数の第２階層メニュ（例えば「メモ帳」および「カレンダー」）のうち、「ツール」という第１階層付属メニュがフォーカスされる。
【０１２８】
表示画面５３−ｃ上においてユーザにより操作キー１４のうちの例えば上キーまたは下キーが押下されると、表示画面５３−ｂまたは５３−ｄに遷移し、液晶ディスプレイ１７に表示される複数の第１階層メニュにおけるフォーカス位置が「便利機能」から「アラーム」または「データフォルダ」に移動される。例えば表示画面５３−ｃ上においてユーザにより操作キー１４のうちの例えば下キーが押下されると、５３−ｄに遷移し、フォーカス位置において、複数の第２階層メニュとしての「フォトフォルダ」および「ＳＤフォルダ」が、第１階層メニュとしての「データフォルダ」と同時に表示される。具体的には、図８の表示画面５３−ｄの場合、第１階層メニュとしての「データフォルダ」の下に、第１階層メニュ「データフォルダ」の詳細情報である第１階層付属メニュとして「データメニュ」が表示されるとともに、左右に第２階層メニュとして「フォトフォルダ」および「ＳＤフォルダ」が同時に表示される。なお、表示画面５３−ｄにおいては、第１階層付属メニュ（例えば「データメニュ」）および複数の第２階層メニュ（例えば「フォトフォルダ」および「ＳＤフォルダ」）のうち、「データメニュ」という第１階層付属メニュがフォーカスされる。
【０１２９】
以下についても同様であり、その説明は繰り返しになるので省略する。
【０１３０】
これにより、同一のフォーカス位置で予め設定された所定の時間（例えば、２秒間）以上フォーカスされたと判定され、ユーザにより操作キー１４のうちの上下キーが一旦低速に押下されると、ユーザにより操作キー１４のうちの上下キーが高速に押下されるまで、フォーカス位置において第１階層メニュと同時に複数の第２階層メニュを表示させることができ、異なる階層のメニュを同時に表示することができる。
【０１３１】
従って、ユーザは、異なる階層のメニュを同時に把握することができ、現在のフォーカス位置に表示される階層メニュにおいて以降実行することができる処理をより容易に、かつ、簡単に知ることができる。その結果、カメラ付ディジタル携帯電話機１の操作性をより向上させることができる。
【０１３２】
ステップＳ２６において予め設定された所定の時間（例えば、１秒間など）以内に上下キーが押されたと判定された場合、主制御部３１はステップＳ２９で、フォーカスの移動速度が高速であると認識する。
【０１３３】
その後、処理はステップＳ３に進み、ステップＳ３以降の処理が繰り返される。
【０１３４】
例えば液晶ディスプレイ１７に図８の表示画面５３−ａが表示されている場合に、ユーザにより予め設定された所定の時間（例えば、１秒間など）以内に上下キーが押され、フォーカスの移動速度が高速であると認識されると、図８の表示画面５３−ａから図６の表示画面５１−ｂに遷移し、フォーカス位置において複数の第２階層メニュと第１階層メニュを同時に表示させる表示画面から、複数の第１階層メニュのみが表示される表示画面に切り換えられるとともに、フォーカス位置が「カメラ」から「アラーム」に移動する。
【０１３５】
これにより、同一のフォーカス位置で予め設定された所定の時間（例えば、２秒間）以上フォーカスされたと判定され、ユーザにより操作キー１４のうちの上下キーが一旦低速に押下され、フォーカス位置において第１階層メニュと同時に複数の第２階層メニュを表示された後、ユーザにより操作キー１４のうちの上下キーが高速に押下されることにより、例えば図６に示されるように液晶ディスプレイ１７に複数の第１階層メニュのみが表示され、上下キーの押下に合わせて第１階層メニュにおけるフォーカス位置が移動させることができる。従って、ユーザがフォーカス位置の低速移動後にフォーカス位置の高速移動を所望する場合に、ユーザの好みに応じて、異なる階層のメニュを同時に表示せずに、第１階層メニュのみを表示させ、フォーカス位置を高速に移動させることができる。
【０１３６】
従って、カメラ付ディジタル携帯電話機１の操作性をより向上させることができる。
【０１３７】
一方、ステップＳ２５においてユーザにより操作キー１４のうちの例えば上下キーのいずれかが押下されていないと判定された場合、処理はステップＳ１５に戻り、ステップＳ１５以降の処理が繰り返される。
【０１３８】
ここで、図１０を参照して、フォーカスの移動速度が高速である場合と、低速である場合において液晶ディスプレイ１７に表示される階層メニュについて説明する。
【０１３９】
図１０に示されるように、フォーカスの移動速度が高速である場合、液晶ディスプレイ１７には複数の第１階層メニュのみが表示され、第１階層メニュとして例えば「カメラ」、「アラーム」、「便利機能」、「データフォルダ」、「設定」、および「私の番号」が表示され、ユーザによる操作に応じてフォーカス位置が移動される。
【０１４０】
一方、フォーカスの移動速度が低速の場合、液晶ディスプレイ１７には複数の第１階層メニュが表示されるとともに、フォーカス位置において第１階層メニュ（第１階層付属項目情報を含む）と複数の第２階層メニュが同時に表示される。より具体的には、第１階層メニュ（第１階層付属項目情報を含む）が中央に表示され、複数の第２階層メニュが左右に表示される。
【０１４１】
本発明の実施形態においては、同一のフォーカス位置に予め設定された所定の時間以上フォーカスされているか否かを判定し、同一のフォーカス位置に予め設定された所定の時間以上フォーカスされていると判定された場合、フォーカスの移動速度が低速であると認識し、そのフォーカス位置において第１階層メニュと複数の第２階層メニュを同時に表示するようにしたので、異なる階層のメニュを同時に表示することができる。これにより、ユーザは、異なる階層のメニュを同時に把握することができ、現在のフォーカス位置に表示される階層メニュにおいて以降実行することができる処理を容易に知ることができる。従って、カメラ付ディジタル携帯電話機１の操作性を向上させることができる。
【０１４２】
なお、図４のフローチャートを用いて説明したメニュ表示制御処理においては、同一のフォーカス位置で予め設定された所定の時間（例えば、２秒間）以上フォーカスされたと判定され、ユーザにより操作キー１４のうちの上下キーが一旦低速に押下された後、ユーザにより操作キー１４のうちの上下キーが高速に押下されるまで、フォーカス位置において第１階層メニュと同時に複数の第２階層メニュを表示するようにしたが、このような場合に限られず、例えば、同一のフォーカス位置で予め設定された所定の時間（例えば、２秒間）以上フォーカスされたと判定された場合にのみ、フォーカスの移動速度が低速であると認識し、フォーカス位置において第１階層メニュと同時に複数の第２階層メニュを表示するようにしてもよい。以下、この方法を用いたメニュ表示制御処理について説明する。
【０１４３】
図１１のフローチャートを参照して、図３のカメラ付ディジタル携帯電話機１における他のメニュ表示制御処理について説明する。なお、図１１のステップＳ４１乃至Ｓ６４の処理は、図４のステップＳ１乃至Ｓ２４の処理と基本的には同様であり、その説明は繰り返しになるので省略する。
【０１４４】
ステップＳ６５においてユーザにより操作キー１４のうちの例えば上下キーのいずれかが押下されていないと判定された場合、処理はステップＳ５５に戻り、ステップＳ５５以降の処理が繰り返される。
【０１４５】
一方、ステップＳ６５においてユーザにより操作キー１４のうちの例えば上下キーのいずれかが押下されたと判定された場合、処理はステップＳ４３に進み、ステップＳ４３以降の処理が繰り返される。
【０１４６】
例えば液晶ディスプレイ１７に図８の表示画面５３−ａが表示されている場合に、ユーザにより操作キー１４のうちの例えば上下キーのいずれかが押下されると、図８の表示画面５３−ａから図６の表示画面５１−ｂに遷移し、フォーカス位置において複数の第２階層メニュと第１階層メニュを同時に表示させる表示画面から、複数の第１階層メニュのみが表示される表示画面に切り換えられるとともに、フォーカス位置が「カメラ」から「アラーム」に移動する。
【０１４７】
これにより、同一のフォーカス位置で予め設定された所定の時間（例えば、２秒間）以上フォーカスされたと判定されない限り、異なる階層のメニュを同時に表示せずに、第１階層メニュのみを表示させ、フォーカス位置を高速に移動させることができる。従って、カメラ付ディジタル携帯電話機１の操作性をより向上させることができる。
【０１４８】
なお、本発明の実施形態においては、フォーカス位置において第１階層メニュと第２階層メニュを同時に表示するようにしたが、これ以外にも、例えば左側に第２階層メニュを表示し、右側に第３階層メニュを表示するようにしてもよい。これにより、ユーザは、異なる階層のメニュを同時に把握することができ、現在のフォーカス位置に表示される階層メニュにおいて以降実行することができる処理をより容易に知ることができる。従って、カメラ付ディジタル携帯電話機１の操作性をより向上させることができる。
【０１４９】
なお、本発明は、カメラ付ディジタル携帯電話機１以外にも、ＰＤＡ（Personal Digital Assistant）、パーソナルコンピュータ、その他の情報処理装置にも適用することができる。
【０１５０】
また、本発明の実施形態において説明した一連の処理は、ソフトウェアにより実行させることもできるが、ハードウェアにより実行させることもできる。
【０１５１】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１５２】
【図１】本発明に係る情報処理装置に適用可能なカメラ付ディジタル携帯電話機の外観の構成を示す外観図。
【図２】本発明に係る情報処理装置に適用可能なカメラ付ディジタル携帯電話機の他の外観の構成を示す外観図。
【図３】本発明に係る情報処理装置に適用可能なカメラ付ディジタル携帯電話機の内部の構成を示すブロック図。
【図４】図３のカメラ付ディジタル携帯電話機におけるメニュ表示制御処理について説明するフローチャート。
【図５】複数の階層からなる階層メニュの構成を説明する説明図。
【図６】図３の液晶ディスプレイに表示される表示画面の遷移図。
【図７】図３の液晶ディスプレイに表示される表示画面の遷移図。
【図８】図３の液晶ディスプレイに表示される表示画面の遷移図。
【図９】図３の液晶ディスプレイに表示される表示画面の遷移図。
【図１０】フォーカスの移動速度が高速時または低速時に液晶ディスプレイに表示される階層メニュを説明する説明図。
【図１１】図３のカメラ付ディジタル携帯電話機における他のメニュ表示制御処理について説明するフローチャート。
【符号の説明】
【０１５３】
１…カメラ付ディジタル携帯電話機、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０…ＣＣＤカメラ、２１…サブディスプレイ、２２…静電タッチパッド、３１…主制御部、３２…電源回路、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、４８…音楽制御部。
【図１】
2008052576.tif 000003
【図２】
2008052576.tif 000004
【図３】
2008052576.tif 000005
【図４】
2008052576.tif 000006
【図５】
2008052576.tif 000007
【図６】
2008052576.tif 000008
【図７】
2008052576.tif 000009
【図８】
2008052576.tif 000010
【図９】
2008052576.tif 000011
【図１０】
2008052576.tif 000012
【図１１】
2008052576.tif 000013